(57)【要約】      （修正有）【課題】表示品質が向上された曲面表示装置を提供する。【解決手段】曲面表示装置は映像が表示される表示領域を有する表示パネル５２０、前記表示パネル５２０を収納する収納部材５８０、及び前記表示パネル５２０の枠をカバーして前記収納部材５８０と結合されるカバー部材５１０を含む。前記表示パネル５２０は第１方向及び前記第１方向と交差する第２方向の各々にしたがって曲がった形状を有し、前記収納部材及び前記カバー部材５１０の各々が曲がって前記表示パネル５２０の曲がった形状を維持する。【選択図】図１Ａ
2015031954.tif 000002
【特許請求の範囲】
【請求項１】
映像が表示される表示領域を有する表示パネルと、
前記表示パネルを収納する収納部材と、
前記表示パネルの枠をカバーして前記収納部材と結合されるカバー部材と、を含み、
前記表示パネルは、第１方向及び前記第１方向と交差する第２方向の各々にしたがって曲がった形状を有し、前記収納部材及び前記カバー部材の各々が曲がって前記表示パネルの前記曲がった形状を維持することを特徴とする曲面表示装置。
【請求項２】
前記表示パネルの長辺は、前記第１方向にしたがって曲がり、前記表示パネルの短辺は、前記第２方向にしたがって曲がっていることを特徴とする請求項１に記載の曲面表示装置。
【請求項３】
第１仮想線及び第２仮想線を定義した場合に、前記第１仮想線は、前記表示パネルの中心点を通り、前記第１方向と平行であり、前記第２仮想線は、前記中心点を通り、前記第２方向と平行であり、前記表示パネルは、前記第１仮想線及び前記第２仮想線の各々に対して対称である形状に曲がっていることを特徴とする請求項２に記載の曲面表示装置。
【請求項４】
前記長辺は、第１曲率半径を有して曲がり、前記短辺は、第２曲率半径を有して曲がり、前記第２曲率半径は、前記第１曲率半径より大きいことを特徴とする請求項２に記載の曲面表示装置。
【請求項５】
前記第２曲率半径は、前記第１曲率半径の３倍乃至５０倍であることを特徴とする請求項４に記載の曲面表示装置。
【請求項６】
前記長辺及び前記短辺の中で少なくともいずれか１つの一部は、前記一部以外の他の部分と異なる曲率半径を有するように曲がっていることを特徴とする請求項２に記載の曲面表示装置。
【請求項７】
前記収納部材と結合されて前記表示パネルを支持するモールドフレームと、
前記カバー部材及び前記表示パネルの間に配置され、前記表示パネルを部分的に加圧して前記表示パネルの曲がった形状を調節するスペーサーと、をさらに含み、
前記モールドフレームは、
前記第１方向にしたがって曲がった形状を有する第１フレームと、
前記第２方向にしたがって曲がった形状を有する第２フレームと、を含むことを特徴とする請求項２に記載の曲面表示装置。
【請求項８】
前記カバー部材は、
前記第１方向にしたがって曲がった形状を有し、前記表示パネルの前記長辺をカバーする第１カバー部と、
前記第２方向にしたがって曲がった形状を有し、前記表示パネルの前記短辺をカバーする第２カバー部と、を含むことを特徴とする請求項２に記載の曲面表示装置。
【請求項９】
前記収納部材に収納されて前記表示パネル側へ光を出力するバックライトをさらに含み、
前記表示パネルは、前記光を受信して前記映像を表示する液晶表示パネルであることを特徴とする請求項１に記載の曲面表示装置。
【請求項１０】
前記表示パネルは、有機電界発光表示パネルであることを特徴とする請求項１に記載の曲面表示装置。
【発明の詳細な説明】
【技術分野】
【０００１】
本発明は曲面表示装置に関し、より詳細には表示領域が曲面の形状を有する曲面表示装置に関する。
【背景技術】
【０００２】
液晶表示装置及び有機電界発光表示装置のような平板表示装置はＴＶ、モニター、ノートブック型コンピューター、及び携帯電話等の多様な情報処理装置に映像を表示する用途として使用されている。最近では、前記平板表示装置を応用した曲面表示装置が開発されているが、前記曲面表示装置は、曲面の形状を有する表示領域を提供して使用者に立体感、没頭感（ｓｅｎｓｅ  ｏｆ  ｉｍｍｅｒｓｉｏｎ）、及び臨場感（ｒｅａｌｉｓｍ）が向上した映像を提供することができる。
【先行技術文献】
【特許文献】
【０００３】
【特許文献１】米国特許第８，３１０，６１４号公報
【特許文献２】米国特許公開第２０１２／０３２０５０９号公報
【発明の概要】
【発明が解決しようとする課題】
【０００４】
本発明の目的は表示品質が向上された曲面表示装置を提供することにある。
【課題を解決するための手段】
【０００５】
上述した本発明の目的を達成するために、本発明による曲面表示装置は、映像が表示される表示領域を有する表示パネル、前記表示パネルを収納する収納部材、及び前記表示パネルの枠をカバーして前記収納部材と結合されるカバー部材を含む。
【０００６】
前記表示パネルは、第１方向及び前記第１方向と交差する第２方向の各々にしたがって曲がった形状を有し、前記収納部材及び前記カバー部材の各々が曲がって前記表示パネルの前記曲がった形状を維持する。
【発明の効果】
【０００７】
本発明によれば、表示品質が向上された曲面表示装置を提供することができる。
【図面の簡単な説明】
【０００８】
【図１Ａ】本発明の一実施形態による曲面表示装置の斜視図である。
【図１Ｂ】図１Ａに図示された曲面表示装置の平面図である。
【図１Ｃ】図１Ａに図示された曲面表示装置の左側面図である。
【図２Ａ】図１Ａに図示された曲面表示装置の分解斜視図である。
【図２Ｂ】図１に図示されたＩ−Ｉ’に沿って切断された面を示した断面図である。
【図３】図２Ａに図示された表示パネルの拡大図である。
【図４Ａ】本発明の比較例にしたがうブラックを表示する表示パネルの写真図である。
【図４Ｂ】本発明の実施形態によるブラックを表示する表示パネルの写真図である。
【図５Ａ】第２曲率半径の大きさにしたがってブラックが表示される表示領域で視認される光漏れの輝度を示したグラフである。
【図５Ｂ】第２曲率半径の大きさにしたがってブラックが表示される表示領域で視認される光漏れの輝度を示したグラフである。
【図６Ａ】図２Ａに図示されたカバー部材、モールドフレーム、及び収納部材の部分拡大図である。
【図６Ｂ】図２Ａに図示された導光板、反射部材、第１光源、第２光源、及び多数のシートの部分拡大図である。
【図７】本発明の他の実施形態による曲面表示装置のカバー部材及び表示パネルの分解斜視図である。
【図８】本発明の他の実施形態による曲面表示装置が有する表示パネルの斜視図である。
【発明を実施するための形態】
【０００９】
以下、添付した図面を参照して本発明の実施形態を詳細に説明する。上記した本発明の目的、特徴及び効果は図面に関連された実施形態を通じて容易に理解され得る。但し、本発明はここで説明される実施形態に限定されなく、多様な形態に応用されて変形されることもあり得る。むしろ後述される本発明の実施形態は本発明によって開示された技術思想をより明確にし、さらに本発明が属する分野で平均的な知識を有する当業者に本発明の技術思想が十分に伝達され得るように提供される。したがって、本発明の範囲が後述される実施形態によって限定されることとして解釈されてはならない。一方、下記の実施形態と図面上に同一の参照番号は同一の構成要素を示す。
【００１０】
また、本明細書で‘第１’、‘第２’等の用語は限定的な意味ではなく、１つの構成要素を他の構成要素と区別する目的に使用された。また、膜、領域、構成要素等の部分が他の部分‘上に’又は‘上に’あるとする時、他の部分の直ちに上にある場合のみならず、その中間に他の膜、領域、構成要素等が介在されている場合も含む。
【００１１】
図１Ａは本発明の一実施形態による曲面表示装置の斜視図であり、図１Ｂは図１Ａに図示された曲面表示装置の平面図であり、図１Ｃは図１Ａに図示された曲面表示装置の左側面図である。
【００１２】
図１Ａ、図１Ｂ、及び図１Ｃを参照すれば、曲面表示装置６００は曲がった形状を有する。より詳細には、前記曲面表示装置６００は、第１方向ＤＲ１及び前記第１方向ＤＲ１と交差する第２方向ＤＲ２の各々にしたがって曲がった形状を有することができる。言い換えれば、曲面表示装置６００は、第１方向ＤＲ１及び第２方向ＤＲ２の両方に応じて曲がった形状を有する。この実施形態では、前記第１方向ＤＲ１及び前記第２方向ＤＲ２は互いに直交することができる。
【００１３】
前記曲面表示装置６００は収納部材５８０、表示パネル５２０、バックライト（図２Ａの５００）、及びカバー部材５１０を含む。この実施形態では、前記表示パネル５２０は液晶表示パネルであり得、前記バックライトは光を前記表示パネル５２０側へ出力し、前記表示パネル５２０は前記バックライトから出力された光を受信して表示領域ＤＡを通じて映像を表示する。
【００１４】
この実施形態では、前記曲面表示装置６００が曲がった形状と対応するように前記表示パネル５２０が曲がった形状を有することができる。即ち、前記表示パネル５２０は前記第１及び第２方向ＤＲ１、ＤＲ２の各々にしたがって曲がった形状を有することができる。したがって、前記表示パネル１００において長辺Ｅ１及び短辺Ｅ２が定義される時、前記長辺Ｅ１は前記第１方向ＤＲ１にしたがって曲がり、前記短辺Ｅ２は前記第２方向ＤＲ２にしたがって曲がる。
【００１５】
一方、上述したように、前記表示パネル５２０が曲がった形状を有する場合に、前記表示パネル５２０の前記表示領域ＤＡは曲面の形状を有することができる。したがって、前記曲面の形状を有する前記表示領域ＤＡを通じて前記曲面表示装置６００は立体感、没頭感、及び臨場感が向上した映像を表示することができる。
【００１６】
前記収納部材５８０は前記表示パネル５２０及び前記バックライトを収納し、前記カバー部材５１０は前記表示パネル５２０及び前記バックライトが収納された前記収納部材５８０と結合される。前記カバー部材５１０は前記表示パネル５２０の枠をカバーし、これによって前記表示パネル５２０の前記枠で囲まれる前記表示領域ＤＡが外部に露出され得る。
【００１７】
この実施形態では、前記カバー部材５１０及び前記収納部材５８０の各々は前記表示パネル５２０の形状に対応するように曲がって前記表示パネル５２０の曲がった形状を維持することができる。これに対しては図６Ａを参照してより詳細に説明される。
【００１８】
以下、前記曲面表示装置６００が有する構成要素の細部的な構成を説明すれば次の通りである。
【００１９】
図２Ａは図１Ａに図示された曲面表示装置の分解斜視図であり、図２Ｂは図１に図示されたＩ−Ｉ’に沿って切断された面を示した断面図である。
【００２０】
図２Ａ及び図２Ｂを参照すれば、この実施形態では表示パネル５２０は液晶表示パネルであり得、この場合に、前記表示パネル５２０は表示基板５２１、対向基板５２２、及び前記表示基板５２１と前記対向基板５２２との間に介在される液晶層（図示せず）を包含することができる。前記表示基板５２１はガラス基板及びプラスチック基板のような第１ベース基板（図示せず）及び前記第１ベース基板上に配置される多数の画素電極（図示せず）を包含することができる。前記対向基板５２２はガラス基板及びプラスチック基板のような第２ベース基板（図示せず）及び前記第２ベース基板上に配置されて前記多数の画素電極と共に前記液晶層に電界を形成する共通電極（図示せず）を包含することができる。
【００２１】
この実施形態では前記表示パネル５２０は液晶表示パネルを例に挙げたが、本発明が適用される範囲は前記表示パネル５２０の種類に限定されない。例えば、他の実施形態では、前記表示パネル５２０は有機電界発光表示パネル又はプラズマ表示パネルであり得、この場合に、前記有機電界発光表示パネル及び前記プラズマ表示パネルは自体的に光を発生して映像を表示するので、前記曲面表示装置６００でバックライト５００が省略され得る。
【００２２】
前記バックライト５００は、第１光源ＬＳ１、第２光源ＬＳ２、反射板５７０、導光板５５０、モールドフレーム５３０、及び多数のシート５４０を含む。
【００２３】
前記第１及び第２光源ＬＳ１、ＬＳ２の各々は光を発生する。この実施形態では、前記第１及び第２光源ＬＳ１、ＬＳ２の各々は印刷回路基板ＰＢ及び前記印刷回路基板ＰＢ上に実装されて前記光を発生する多数の発光ダイオードパッケージＬＧを包含することができる。前記第１光源ＬＳ１は前記導光板５５０の一側部に隣接して配置され得、前記第２光源ＬＳ２は前記導光板５５０の他の側部に隣接して配置され得る。したがって、前記多数の発光ダイオードパッケージＬＧから発生された光は前記導光板５５０の二側部を通じて前記導光板５５０側へ入射され得る。
【００２４】
前記反射板５７０は、ポリエチレンテレフタレート（ｐｏｌｙｅｔｈｙｌｅｎｅ  ｔｅｒｅｐｈｔｈａｌａｔｅ、ＰＥＴ）及びアルミニウムのような光を反射する物質を含んで収納部材５８０の底部５８５上に配置される。前記導光板５５０は前記収納部材５８０に収納されて前記反射板５７０上に配置され、前記導光板５５０は前記第１及び第２光源ＬＳ１、ＬＳ２から提供された光を前記表示パネル５２０側へガイドする。
【００２５】
前記モールドフレーム５３０は前記収納部材５８０と結合され、より詳細には、前記モールドフレーム５３０は前記収納部材５８０の前記側壁５８１にしたがって延長されて前記側壁５８１と結合される。また、前記モールドフレーム５３０は前記収納部材５８０に収納された前記導光板５５０のエッジを前記底部５８５に固定させ、前記モールドフレーム５３０上には前記多数のシート５４０及び前記表示パネル５２０が順次的に配置される。
【００２６】
前記多数のシート５４０は前記表示パネル５２０及び前記導光板５５０の間に配置される。この実施形態では、前記多数のシート５４０は光を拡散させる拡散シート５４３、光を集光して前記表示パネル５２０の正面輝度を向上させるプリズムシート５４２、及び前記表示パネル５２０の背面を保護する保護シート５４１を包含することができる。
【００２７】
一方、本発明は、前記バックライト５００を有する構成要素に限定されない。例えば、他の実施形態では、前記第１光源ＬＳ１、前記第２光源ＬＳ２、及び前記導光板５５０が省略される代わりに、多数のランプが前記表示パネル５２０及び前記反射板５７０の間に配置され得る。この場合に、前記多数のランプは前記表示パネル５２０の前記表示領域ＤＡに重畳して、一定の間隔を置き、配列されることもあり得、前記多数のランプ及び前記表示パネル５２０の間には光を拡散する拡散板が配置されることもあり得る。その他の実施形態では、前記バックライト５００で前記反射板５７０が省略される代わりに、前記収納部材５８０の前記底部５８５が反射物質で形成されるか、或いは前記底部５８５に反射層がコーティングされることもあり得る。
【００２８】
図３は図２Ａに図示された表示パネルの拡大図である。
【００２９】
図３を参照すれば、この実施形態では表示パネル５２０は第１方向ＤＲ１及び第２方向ＤＲ２の各々にしたがって曲がった形状を有する。したがって、前記表示パネル５２０に互いに対向する２つの長辺Ｅ１及び互いに対向する２つの短辺Ｅ２を定義すれば、前記２つの長辺Ｅ１の各々は前記第１方向ＤＲ１にしたがって曲がり、前記２つの短辺Ｅ２の各々は前記第２方向ＤＲ２にしたがって曲がる。
【００３０】
この実施形態では、前記２つの長辺Ｅ１が有する曲率半径は互いに同一であり、前記２つの短辺Ｅ２が有する曲率半径は互いに同一である。なお、同一には概ね同一も含むものとする。前記２つの長辺Ｅ１の中で１つの長辺Ｅ１及び前記２つの短辺Ｅ２の中で１つの短辺Ｅ２に対して説明すれば、次の通りである。
【００３１】
前記長辺Ｅ１が第１曲率半径を有し、前記短辺Ｅ２が第２曲率半径を有するとすれば、この実施形態では前記第２曲率半径の大きさは前記第１曲率半径の大きさより大きい。したがって、前記短辺Ｅ２の曲率は前記長辺Ｅ１の曲率より小さいので、前記短辺Ｅ２は前記長辺Ｅ１より緩く曲がった形状を有する。
【００３２】
前記表示パネル５２０が上述した構造を有する場合に生じる効果を説明すれば、次の通りである。この実施形態でのように、前記表示パネル５２０が前記第１及び第２方向ＤＲ１、ＤＲ２の各々にしたがって曲がった構造を二重曲面（ｄｏｕｂｌｅ−ｃｕｒｖｅｄ）構造として定義し、前記表示パネル５２０がただ前記第１方向ＤＲ１にしたがって曲がった構造を単一曲面（ｓｉｎｇｌｅ−ｃｕｒｖｅｄ）構造として定義する。
【００３３】
本発明の実施形態と異なり、前記表示パネル５２０が前記単一曲面構造を有する場合に、前記表示パネル５２０が含むガラス基板及びプラスチック基板のようなベース基板の一部分にストレスが集中され得る。その結果、前記ストレスが集中された前記ベース基板の一部分を透過する光が進行する方向にしたがって屈折率が異なることがあり得る。その結果、前記ベース基板を透過する光に対して位相差（ｒｅｔａｒｄａｔｉｏｎ）が発生し得る。一般的に、前記ベース基板は透過特性を有するなどの非光学的な特性を有するが、上述したように前記ベース基板を透過する光に対して位相差が発生する場合に前記位相差は前記表示パネルの表示品質を低下させる要因として作用する。
【００３４】
しかし、本発明の実施形態のように、前記表示パネル５２０が前記二重曲面構造を有する場合には、前記表示パネル５２０の前記ベース基板に局部的に加えられるストレスを分散させることができる。その結果、前記ベース基板を透過する光に対して位相差が発生することが防止されて、前記ベース基板の非光学的な特性が維持され得る。したがって、前記位相差によって前記表示パネル５２０の表示品質が低下される現象、例えば光漏れによって表示品質が低下されることが防止され得る。これに対しては、図４Ａ及び図４Ｂを参照してより詳細に説明される。
【００３５】
一方、前記表示パネル５２０の中心点ＣＰを通り、前記第１方向ＤＲ１と平行な第１仮想線Ｌ１を定義し、前記中心点ＣＰを通り、前記第２方向ＤＲ２と平行な第２仮想線Ｌ２を定義すれば、この実施形態では前記表示パネル５２０の曲がった形状は前記第１仮想線Ｌ１及び前記第２仮想線Ｌ２の各々に対して対称であり得る。その結果、前記表示パネル５２０の表示領域ＤＡは凹んだ曲面形状を有することができる。
【００３６】
図４Ａは本発明の比較例においてブラックを表示する表示パネルの写真図であり、図４Ｂは本発明の実施形態においてブラックを表示する表示パネルの写真図である。
【００３７】
図４Ａを参照すれば、表示パネルの表示領域ＤＡでブラックが表示されるように前記表示パネルが駆動され、前記表示パネルは先に説明された単一曲面構造を有する。前記表示領域ＤＡにその周辺より明るく視認される現象を光漏れとして定義すれば、前記表示領域ＤＡの第１乃至第４領域Ａ１、Ａ２、Ａ３、Ａ４の各々で前記光漏れが発生される。
【００３８】
前記表示領域ＤＡの中心点ＣＰを通り、第１方向ＤＲ１と平行な第１仮想線Ｌ１を定義し、前記中心点ＣＰを通り、前記第１方向ＤＲ１と垂直である第２方向ＤＲ２と平行な２仮想線Ｌ２を定義すれば、前記第１領域Ａ１の位置は大略的に前記第１仮想線Ｌ１に対して前記第３領域Ａ３の位置と対称であり、前記第２領域Ａ２の位置は大略的に前記第１仮想線Ｌ１に対して前記第４領域Ａ４の位置と対称である。また、前記第１領域Ａ１の位置は大略的に前記第２仮想線Ｌ２に対して前記第２領域Ａ２の位置と対称であり、前記第３領域Ａ３の位置は大略的に前記第２仮想線Ｌ２に対して前記第４領域Ａ４の位置と対称である。
【００３９】
したがって、前記表示パネルが前記単一曲面構造を有する場合には、前記表示パネルで前記第１方向ＤＲ１及び前記第２方向ＤＲ２の各々に対して対称である部分にストレスが集中されて先に前記光漏れが発生することを確認することができる。
【００４０】
図４Ｂを参照すれば、表示領域ＤＡでブラックが表示されるように表示パネルが駆動され、前記表示パネルは先に説明された二重曲面構造を有する。この場合に、先に図４Ａに現れた光漏れが発生せず、前記表示領域ＤＡの全体に掛けてブラックが均一に表示されることを確認することができる。具体的には、比較例の図４ＡではＡ１〜Ａ４の領域において局所的に光漏れが発生しているが、図４Ｂでは図４Ａに示すような局所的な光漏れが発生していない。これは、前記表示パネルが第１及び第２方向ＤＲ１、ＤＲ２の各々にしたがって曲がった形状を有する場合に、前記表示パネルに加えられるストレスが最少化されて前記光漏れが防止されることと解釈されることができる。つまり、図４Ｂの本発明を適用した場合には、表示パネルに加わるストレスが分散され局所的なストレスが発生していない。
【００４１】
再び図３を参照すれば、先に上述したように、短辺Ｅ２の第２曲率半径は長辺Ｅ１の第１曲率半径より大きい。より詳細には、この実施形態では前記第２曲率半径の大きさは前記第１曲率半径の約３倍乃至約５０倍であり得、前記第１曲率半径は約２メートル乃至約１０メートルであり得る。前記第１及び第２曲率半径が上述した条件を満足する時、前記光漏れの輝度が最少化されるテスト結果を図５Ａ及び図５Ｂを参照して説明すれば、次の通りである。
【００４２】
図５Ａ及び図５Ｂの各々は第２曲率半径の大きさにしたがってブラックが表示される表示領域で視認される光漏れの輝度を示したグラフである。参考に、図５Ａ及び図５Ｂの各々では図４Ａに図示された第３領域（図４ＡのＡ３）で測定された光漏れの輝度が示される。
【００４３】
図３及び図５Ａを参照すれば、４６インチの大きさを有する表示パネル５２０において、前記表示パネル５２０の長辺Ｅ１の第１曲率半径が４メートルであり、表示領域ＤＡでブラックが表示されるように前記表示パネル５２０が駆動される時、前記表示パネル５２０の短辺Ｅ２の第２曲率半径の大きさにしたがって前記表示領域ＤＡで視認される光漏れの輝度が示される。
【００４４】
この実施形態では、前記光漏れの輝度が０．２７ニット（ｎｉｔ）以上である場合に前記光漏れの不良があるとみなされ、前記光漏れの輝度が約０．２７ニット未満である場合に前記光漏れの不良が無いとみなされる。この場合に、前記第２曲率半径が約７．２メートル乃至約１０．７メートルである場合に、前記光漏れの輝度は約０．３１ニット乃至約０．５４ニットで示される。したがって、前記第２曲率半径の大きさが前記第１曲率半径の大きさの３倍未満である場合に、前記光漏れの不良があると視認される。
【００４５】
反面、前記第２曲率半径が約１２．２メートル乃至約８５．５メートルである場合に、前記光漏れの輝度は約０．０７ニット乃至約０．２６ニットで示される。したがって、前記第２曲率半径の大きさは前記第１曲率半径の大きさの３倍乃至２２倍である場合に、前記光漏れは微弱に発生して不良に視認されない。
【００４６】
図３及び図５Ｂを参照すれば、５５インチの大きさを有する表示パネル５２０において、前記表示パネル５２０の長辺Ｅ１の第１曲率半径が４メートルであり、表示領域ＤＡでブラックが表示されるように前記表示パネル５２０が駆動される時、前記表示パネル５２０の短辺Ｅ２の第２曲率半径の大きさにしたがって前記表示領域ＤＡで視認される光漏れの輝度が示される。
【００４７】
前記第２曲率半径が約１１．１メートルである場合に、前記光漏れの輝度は約０．３０ニットで示される。したがって、前記第２曲率半径の大きさが前記第１曲率半径の大きさの３倍未満である場合に、前記光漏れの不良があると視認される。
【００４８】
反面、前記第２曲率半径が約１２．２メートル乃至約１２２．５メートルである場合に、前記光漏れの輝度は約０．０７ニット乃至約０．２１ニットで示される。したがって、前記第２曲率半径の大きさは前記第１曲率半径の大きさの約３倍乃至約３０倍である場合に、前記光漏れは微弱に発現されて不良があると視認されない。
【００４９】
図６Ａは図２Ａに図示されたカバー部材、モールドフレーム、及び収納部材の部分拡大図であり、図６Ｂは図２Ａに図示された導光板、反射部材、第１光源、第２光源、及び多数のシートの部分拡大図である。
【００５０】
図６Ａを参照すれば、カバー部材５１０、モールドフレーム５３０、及び収納部材５８０の各々は表示パネル５２０の曲がった形状に対応されるように曲がった形状を有することができる。これに対してより詳細に説明すれば、次の通りである。
【００５１】
前記収納部材５８０は底部５８５及び前記底部５８５から延長された第１乃至第４側壁５８１−１、５８１−２、５８１−３、５８１−４を含む。前記第１側壁５８１−１及び前記第２側壁５８１−２の位置は表示パネル５２０の２つの長辺Ｅ１の位置と一対一に対応し、前記第３側壁５８１−３及び前記第４側壁５８１−４の位置は前記表示パネル５２０の２つの短辺Ｅ２の位置と一対一に対応する。
【００５２】
また、この実施形態で前記第１及び第２側壁５８１−１、５８１−２の各々は前記第１方向ＤＲ１にしたがって曲がった形状を有し得、前記第３及び第４側壁５８１−３、５８１−４の各々は前記第２方向ＤＲ２にしたがって曲がった形状を有することができる。また、前記底部５８５の２つの長辺の各々は前記第１方向ＤＲ１にしたがって曲がった形状を有し得、前記底部５８５の２つの短辺の各々は前記第２方向ＤＲ２にしたがって曲がった形状を有することができる。
【００５３】
前記モールドフレーム５３０は第１乃至第４フレームＦ１、Ｆ２、Ｆ３、Ｆ４を含む。前記第１及び第２フレームＦ１、Ｆ２の位置は前記表示パネル５２０の前記２つの長辺Ｅ１の位置と一対一に対応し、前記第３及び第４フレームＦ３、Ｆ４の位置は前記表示パネル５２０の前記２つの短辺Ｅ２の位置と一対一に対応する。
【００５４】
また、この実施形態で前記第１及び第２フレームＦ１、Ｆ２の各々は前記第１方向ＤＲ１にしたがって曲がった形状を有し得、前記第３及び第４フレームＦ３、Ｆ４の各々は前記第２方向ＤＲ２にしたがって曲がった形状を有することができる。
【００５５】
前記カバー部材５１０は第１乃至第４カバー部５１０−１、５１０−２、５１０−３、５１０−４を含む。前記第１及び第２カバー部５１０−１、５１０−２の位置は前記表示パネル５２０の前記２つの長辺Ｅ１の位置と一対一に対応し、前記第３及び第４カバー部５１０−３、５１０−４の位置は前記表示パネル５２０の前記２つの短辺Ｅ２の位置と一対一に対応する。
【００５６】
また、この実施形態で前記第１及び第２カバー部５１０−１、５１０−２の各々は前記第１方向ＤＲ１にしたがって曲がった形状を有し得、前記第３及び第４カバー部５１０−３、５１０−４の各々は前記第２方向ＤＲ２にしたがって曲がった形状を有することができる。
【００５７】
上述したように、前記カバー部材５１０、前記モールドフレーム５３０、及び前記収納部材５８０の各々は、前記表示パネル５２０の曲がった形状に対応されるように曲がった形状を有する。これによって、前記表示パネル５２０が前記カバー部材５１０、前記モールドフレーム５３０及び前記収納部材５８０と結合された場合に、前記表示パネル５２０の曲がった形状が容易に維持され得る。
【００５８】
図６Ｂを参照すれば、反射板５７０、導光板５５０及び多数のシート５４０の各々は表示パネル５２０の曲がった形状に対応されるように曲がった形状を有することができる。これに対してより詳細に説明すれば、次の通りである。
【００５９】
前記反射板５７０は第１長辺Ｅ１−１及び第１短辺Ｅ２−１を有し、前記第１長辺Ｅ１−１は第１方向ＤＲ１にしたがって曲がり、前記第１短辺Ｅ２−１は第２方向ＤＲ２にしたがって曲がる。前記導光板５５０は第２長辺Ｅ１−２及び第２短辺Ｅ２−２を有し、前記第２長辺Ｅ２−１は前記第１方向ＤＲ１にしたがって曲がり、前記第２短辺Ｅ２−２は前記第２方向ＤＲ２にしたがって曲がる。前記多数のシート５４０は第３長辺Ｅ１−３及び第３短辺Ｅ２−３を有し、前記第３長辺Ｅ１−３は前記第１方向ＤＲ１にしたがって曲がり、前記第３短辺Ｅ２−３は前記第２方向ＤＲ２にしたがって曲がる。
【００６０】
また、第１光源ＬＳ１及び第２光源ＬＳ２の各々は印刷回路基板ＰＢ及び多数の発光ダイオードパッケージＬＧを含み、前記印刷回路基板ＰＢは前記導光板５５０の前記第２長辺Ｅ１−２が曲がった形状に対応されるように前記第１方向ＤＲ１に曲がる。
【００６１】
上述したように、前記反射板５７０、前記導光板５５０、前記多数のシート５４０、及び前記印刷回路基板ＰＢの各々は前記表示パネル５２０の曲がった形状に対応されるように曲がった形状を有する。これによって、前記表示パネル５２０と前記多数のシート５４０との間の離隔距離及び前記表示パネル５２０と前記導光板５５０との間の離隔距離が表示領域ＤＡの全体に掛けて一定に維持され得、その結果、前記表示領域ＤＡの全体に掛けて均一に光が提供され得る。
【００６２】
図７は本発明の他の実施形態による曲面表示装置のカバー部材及び表示パネルの分解斜視図である。図７を説明することにおいて、先に説明された構成要素に対しては図面符号を併記し、前記構成要素に対する重複された説明は省略される。
【００６３】
図７を参照すれば、この実施形態による曲面表示装置はカバー部材５１０及び表示パネル５２０−１の間に介在される第１乃至第４スペーサーＳＰ１、ＳＰ２、ＳＰ３、ＳＰ４を含む。前記第１乃至第４スペーサーＳＰ１、ＳＰ２、ＳＰ３、ＳＰ４の中で前記第１スペーサーＳＰ１を例として説明すれば、次の通りである。
【００６４】
前記第１スペーサーＳＰ１はシリコン及びゴムのような材料に形成され得、前記第１スペーサーＳＰ１は、長辺Ｅ１に隣接する前記表示パネル５２０−１の枠の中心部の上に提供されて、前記表示パネル５２０−１及び前記カバー部材５１０の第１カバー部５１０−１の間に介在される。この場合に、前記表示パネル５２０−１が前記カバー部材５１０と結合されれば、前記第１スペーサーＳＰ１は前記表示パネル５２０−１を部分的に加圧することができる。
【００６５】
したがって、前記表示パネル５２０−１の第１枠Ｐ１及び第２枠Ｐ２を定義すれば、前記第１枠Ｐ１は前記第２枠Ｐ２より前記第１スペーサーＳＰ１に隣接するように配置されるので、前記第１枠Ｐ１が曲がった曲率は前記第２スペーサーＰ２が曲がった曲率より大きい。上述したように、前記曲面表示装置に前記第１乃至第４スペーサーＳＰ１、ＳＰ２、ＳＰ３、ＳＰ４が適用される場合に、前記表示パネル５２０−１の一部分の曲率を他の部分と異なるように調節することができる。
【００６６】
図８は本発明の他の実施形態による曲面表示装置が有する表示パネルの斜視図である。
【００６７】
図８を参照すれば、表示パネル５２０−２は第１方向ＤＲ１及び第２方向ＤＲ２の各々にしたがって曲がった形状を有し、これによって前記表示パネル５２０−２に２つの長辺Ｅ１の各々は曲がり、前記２つの短辺Ｅ２の各々は曲がる。
【００６８】
この実施形態では、図３に図示された実施形態と異なり、前記表示パネル５２０−２が曲がって表示領域ＤＡは表示面側が膨らんでいる曲面形状を有する。前記表示パネル５２０−２を含む前記曲面表示装置は柱のように膨らんでいる形状を有する構造物に容易に設置されて映像を表示することができる。
【００６９】
この実施形態では、前記表示パネル５２０−２の長辺Ｅ１が第１曲率半径を有し、前記表示パネル５２０−２の短辺Ｅ２が第２曲率半径を有するとすれば、前記第２曲率半径の大きさは前記第１曲率半径の大きさより大きい。より詳細には、前記第２曲率半径の大きさは前記第１曲率半径の約３倍乃至約５０倍であり得、前記第１曲率半径は約２メートル乃至約１０メートルであり得る。
【００７０】
上述したように、前記表示パネル５２０−２は二重曲面構造を有するので、先に図３を参照して説明された実施形態と同様に、前記表示パネル５２０−２に加えられるストレスによって発生される光漏れの輝度が最少化されて前記表示パネル５２０−２で表示される映像の表示品質が向上され得る。
【００７１】
上記実施形態によれば、曲面表示装置の表示パネルが長辺及び短辺の中でいずれか１つにしたがって曲がった場合に比べて、表示パネルが長辺及び短辺の各々にしたがって曲げやすい場合に表示パネルのベース基板に加えられるストレスが減少されて、ベース基板を透過する光に対して位相差（ｒｅｔａｒｄａｔｉｏｎ）が発生することが防止され得る。これによって、前記位相差によって前記表示パネルに発生する光漏れによる輝度を最小化することができるので、曲面表示装置の表示品質が向上され得る。
【００７２】
また、表示パネルを収納する収納部材及び表示パネルをカバーするカバー部材の各々は表示パネルの曲がった形状に対応するように曲がり、これによって前記収納部材及び前記カバー部材によって前記表示パネルの曲がった形状が維持され得る。
【００７３】
また、曲面表示装置がバックライトをさらに含む場合に、バックライトの構成要素の大部分は前記表示パネルの曲がった形状に対応されるように曲がって前記表示パネルの表示領域の全体に掛けて光を均一に提供することができる。
【００７４】
以上では本発明の望ましい実施形態を参照して説明したが、該当技術分野の熟練された当業者又は該当技術分野に通常の知識を有する者であれば、後述される特許請求の範囲に記載された本発明の思想及び技術領域から逸脱しない範囲内で本発明を多様に修正及び変形できることは理解できる。したがって、本発明の技術的範囲は明細書の詳細な説明に記載された内容に限定されることではなく、特許請求の範囲によって定まれなければならない。
【符号の説明】
【００７５】
５２０・・・表示パネル
５１０・・・カバー部材
５８０・・・収納部材
Ｅ１・・・表示パネルの長辺
Ｅ２・・・表示パネルの短辺
ＤＡ・・・表示領域
６００・・・曲面表示装置
【図１Ａ】
2015031954.tif 000003
【図１Ｂ】
2015031954.tif 000004
【図１Ｃ】
2015031954.tif 000005
【図２Ａ】
2015031954.tif 000006
【図２Ｂ】
2015031954.tif 000007
【図３】
2015031954.tif 000008
【図４Ａ】
2015031954.tif 000009
【図４Ｂ】
2015031954.tif 000010
【図５Ａ】
2015031954.tif 000011
【図５Ｂ】
2015031954.tif 000012
【図６Ａ】
2015031954.tif 000013
【図６Ｂ】
2015031954.tif 000014
【図７】
2015031954.tif 000015
【図８】
2015031954.tif 000016